(57)【要約】【課題】  緊急時にはボードを破壊するだけで素早く避難できるようにしながら、簡単な構造で、かつ低コストで、強風による隔壁の損壊を防止する。【解決手段】  集合住宅のベランダやバルコニーを仕切る隔壁であって、素手で破壊可能なボード１の周囲を支持枠２で囲い、該支持枠２を隔壁取付金具１３により、住宅外壁とバルコニーやベランダの外壁に取り付けて、バルコニー，ベランダの隣室間を仕切るようにしている。支持枠２は、アルミ製で中空の棒状部材を複数本接合して形成するが、前記棒状部材の接合部では、その中空内部に、エポキシ樹脂等の充填樹脂７を隙間なく充填して固化させる。【選択図】        図１
2019090205.tif 000002
【特許請求の範囲】
【請求項１】
集合住宅のベランダ又はバルコニーを仕切る隔壁であって、
素手で破壊可能なボードと、該ボードの外周を囲ってボードを支持する支持枠とを備え、該支持枠は、中空の金属製棒状部材を複数本接合して枠状に形成し、該棒状部材の接合部の中空内部に、樹脂を隙間なく充填して固化させたことを特徴とする隔壁。
【請求項２】
集合住宅のベランダ又はバルコニーを仕切り、素手で破壊可能なボードと、該ボードの外周を囲ってボードを支持する支持枠とを備え、該支持枠は、中空の金属製棒状部材を複数本接合して枠状に形成した隔壁の補修方法であって、
前記棒状部材の接合部近傍に、棒状部材の中空内部に連通する樹脂注入穴を設け、該樹脂注入穴から前記中空内部に樹脂を隙間なく充填して固化させることを特徴とする隔壁の補修方法。
【発明の詳細な説明】
【技術分野】
【０００１】
本発明は、マンションやアパート等の集合住宅において、バルコニー，ベランダの隣室間を仕切る隔壁及び隔壁の補修方法に関するものである。
【背景技術】
【０００２】
そのような隔壁は、常時は、隣室間の視線を遮ってプライバシーを守る一方、火災発生時等の緊急時には、足や手で破壊してそこから隣室等に避難できるようにする必要がある。そのため、隔壁のボードは、珪酸カルシウム板等の、不透明で、比較的破壊し易い部材で形成される。
【０００３】
図３は、隔壁の一例を示す図である。図３において、１はボード、２は支持枠、１０は住宅外壁、１１はバルコニー外壁、１２はバルコニー床、１３は隔壁取付金具である。ボード１は、珪酸カルシウム板等の、比較的強度が弱く、素手でも破壊可能なもので、緊急時には、このボード１を破って隣の部屋のバルコニーに逃げ込めるようにしている。
【０００４】
この隔壁の支持枠２は、アルミ製の中空棒状部材を、５本、縦横斜めに配置し、それらを互いに接合して形成している。その支持枠２は、図３のＸ−Ｘの断面図を図４に示すように、中が中空になっていて、内側にボード１を嵌め込むための溝部を有している。その溝部にボード１の外周部を嵌め込み、それをボード押え板３で押さえ、止めネジ４で締め付けることにより、ボード１の周囲を囲って支持するようにしている。そして、隔壁取付金具１３，１３，１３，１３により、支持枠２を住宅外壁１０及びバルコニー外壁１１に固定している。
【０００５】
支持枠２の各棒状部材の接合部２ａ，２ａ，２ａ，２ａ，２ａは、図３のＸ−Ｘ部分を上から見た図を図５に示すように、連結する棒状部材間に差し渡してアルミ製の連結板５を当て、止めネジ６，６，６，６で締め付けて結合している。
【０００６】
なお、各棒状部材の接合部２ａ，２ａ，２ａ，２ａ，２ａの結合手段としては、図４，図５に示した手段の他に、図６に示すように、接合部の両側面に連結板９，９を当て、止めネジ４，４で締め付けて接続するようにしたものもある。
【０００７】
そのようにして形成されている隔壁は、ボードの強度があまり高くないため、特に高層階では、強風が吹くと、風圧でボードが破損することがあった。すなわち、ボード１に繰り返し強風が当たると、支持枠２の接合部２ａ，・・・の連結板５や連結板９の止めネジ６，４との接触部に応力が集中し、連結板５や連結板９が繰り返し荷重を受けて疲労破断を起こす。その結果、接合部２ａがぐらつくようになって、それにより支持されているボード１も接合部２ａに近い部分から破損していき、最終的にはボード１全体が割れてしまうことになる。
【０００８】
そのようなボードの破損対策として、例えば、特許文献１では、ボードを前後両面から挟み込む一対の押さえ部材を、ボードの周縁部を支持する支持枠に着脱自在に設けて、隔壁のボードを補強して強風が吹き付けてもボードが破損しないようにするとともに、緊急時には、容易にボードを破壊して避難できるようにした隔壁が提案されている。
【０００９】
そのようにすれば、緊急時には、容易に隔壁を破壊して避難できるようにしながら、強風が吹き付けても隔壁が破損されにくくなる。
【先行技術文献】
【特許文献】
【００１０】
【特許文献１】特開２０１５−７３６６号公報
【発明の概要】
【発明が解決しようとする課題】
【００１１】
しかしながら、上記従来の隔壁では、支持枠の接合部の補強ができないだけでなく、一対の押さえ部材と、それを支持枠に着脱自在取り付けるための支持具が必要になってコスト高になる上、緊急時には、一対の押さえ部材を取り外してからボードを破壊しなければならず、その分手間が掛かって避難が遅れるという問題点があった。また、設置された隔壁が破損したとき、破損した隔壁を補修する方法が特になく支持枠を分解してボードを張り替え、新しい連結板で支持枠の接合部を連結し直しても、再び破損するおそれがあるという問題点もあった。
【００１２】
本発明は、そのような問題点に鑑み、緊急時にはボードを破壊するだけで素早く避難できるようにしながら、簡単な構造で、かつ低コストで支持枠の接合部を補強して、強風による隔壁の損壊を防止することを目的とするものである。
【課題を解決するための手段】
【００１３】
前記課題を解決するため、本願の請求項１に係る発明は、集合住宅のベランダ又はバルコニーを仕切る隔壁であって、素手で破壊可能なボードと、該ボードの外周を囲ってボードを支持する支持枠とを備え、該支持枠は、中空の金属製棒状部材を複数本接合して枠状に形成し、該棒状部材の接合部の中空内部に、樹脂を隙間なく充填して固化させたことを特徴とする。
【００１４】
また、本願の請求項２に係る発明は、集合住宅のベランダ又はバルコニーを仕切り、素手で破壊可能なボードと、該ボードの外周を囲ってボードを支持する支持枠とを備え、該支持枠は、中空の金属製棒状部材を複数本接合して枠状に形成した隔壁の補修方法であって、前記棒状部材の接合部近傍に、棒状部材の中空内部に連通する樹脂注入穴を設け、該樹脂注入穴から前記中空内部に樹脂を隙間なく充填して固化させることを特徴とする。
【発明の効果】
【００１５】
本発明は、次のような効果を奏する。
すなわち、請求項１に係る発明においては、支持枠を形成する棒状部材の接合部の中空内部に、樹脂を隙間なく充填して固化させるだけで接合部を補強できるので、簡単な構造で、かつ低コストで支持枠の接合部を補強して、強風による隔壁の損壊を防止することができる。
【００１６】
また、請求項２に係る発明においては、支持枠を形成する棒状部材の接合部近傍に、棒状部材の中空内部に連通する樹脂注入穴を設け、該樹脂注入穴から前記中空内部に樹脂を隙間なく充填して固化させるようにしたので、破損しかかった、あるいは破損してしまった隔壁の補修が簡単にでき、しかも、補修後は、強風による隔壁の損壊を防止することができる。
【図面の簡単な説明】
【００１７】
【図１】本発明の一実施例に係る隔壁の支持枠接合部の断面図である。
【図２】支持枠接合部に樹脂を充填する方法を示す図である。
【図３】隔壁の一例を示す図である。
【図４】図３の隔壁の支持枠接合部の断面図である。
【図５】図４の支持枠接合部を上側から見た図である。
【図６】支持枠接合部の別の接合方法を示す図である。
【発明を実施するための形態】
【００１８】
以下、本発明の実施例を図面に基づいて詳細に説明する。
【実施例１】
【００１９】
図１は、本発明の一実施例に係る隔壁の支持枠接合部の断面図である。図１において、符号１〜６は、図４のものに対応しており、７はエポキシ樹脂等よりなる充填樹脂である。ボード１は、素手で破壊可能な、板厚３〜４ｍｍの珪酸カルシウム板等よりなり、図３で示したように、その外周を支持枠２で囲い、該支持枠２を隔壁取付金具１３により、住宅外壁１０とバルコニー外壁１１に取り付けて、バルコニー，ベランダの隣室間を仕切るようにしている。
【００２０】
図３，４で示したように、支持枠２は、アルミ製の中空の棒状部材を複数本接合して形成するが、その接合部において、棒状部材の中空内部に樹脂を隙間なく充填すれば、接合部が強固に補強され、隔壁に強風を繰り返し受けても、疲労破断しなくなることが分かった。そこで、本発明では、棒状部材の接合部２ａにおいて、棒状部材の中空内部に、エポキシ樹脂等の充填樹脂7を隙間なく充填して固化させることとした。その結果、充填樹脂により接合部両側の棒状部材同士が完全に固定されて、繰り返し風圧を受けてもぐらつくことがなくなり、連結板５やボード１が破断するのを防止することができた。
【００２１】
図２は、支持枠接合部に樹脂を充填する方法を示す図である。この図は、支持枠２の接合部２ａ周辺を断面図で示している。接合部２ａから少し離れた位置、例えば、接合部２ａから１８０〜２００ｍｍの位置の上面に、支持枠２の中空部に連通するように、堰き止め樹脂注入穴２ｂ，２ｂを設ける。また、接合部２ａの直近の上面には、支持枠２の中空部に連通するように、充填樹脂注入穴２ｃ，２ｃを設ける。さらに、堰き止め樹脂注入穴２ｂと充填樹脂注入穴２ｃの間には、複数個の樹脂注入確認穴２ｄ，２ｄ・・・を設ける。
【００２２】
そして、まず、堰き止め樹脂注入穴２ｂ，２ｂから、樹脂圧入ポンプにより、支持枠２の中空内部を堰き止めるための堰止め樹脂８を注入する。堰止め樹脂８としては、早く硬化する樹脂性質を持つ樹脂で、例えば、速硬化型のエポキシ樹脂を用いることができる。堰止め樹脂８が固化したら、次に、充填樹脂注入穴２ｃ，２ｃから、樹脂圧入ポンプにより、充填樹脂７を注入していく。その際、樹脂注入確認穴２ｄ，２ｄ・・・から注入した樹脂が溢れ出るのを見て、樹脂の充填状況を確認する。注入する充填樹脂７としては、高強度のエポキシ樹脂を用いることができる。
【００２３】
充填樹脂７に用いるエポキシ樹脂は、主剤と硬化剤を混錬して用いる２液混合型であるが、主剤と硬化剤を混錬後、素早く圧入作業を行う必要がある。その目安としては、混合後４０分以内に圧入を完了させる。特に、夏場の気温が高い時期には注意が必要である。
【００２４】
充填樹脂７の充填は、隔壁を新規に設置する前に行ってもよいし、隔壁を設置後、経年変化で接合部２ａが破損してから、補修のために充填してもよい。設置後、何年か経つ内に繰り返し受けた風圧により破損しかかった、あるいは破損してしまった隔壁を補修する場合は、隔壁を建物の壁から取り外してから、棒状部材の破損した接合部２ａの近傍に、支持枠２の中空部に連通するように、堰き止め樹脂注入穴２ｂ，２ｂを設ける。また、接合部２ａの直近の上面には、支持枠２の中空部に連通するように、充填樹脂注入穴２ｃ，２ｃを設ける。さらに、堰き止め樹脂注入穴２ｂと充填樹脂注入穴２ｃの間には、複数個の樹脂注入確認穴２ｄ，２ｄ・・・を設ける。
【００２５】
そして、上記した方法と同様にして、堰き止め樹脂注入穴２ｂ，２ｂから堰止め樹脂８を注入し、その後、充填樹脂注入穴２ｃ，２ｃから充填樹脂７を圧入して、樹脂を固化させる。
【００２６】
なお、上記実施例では、集合住宅のバルコニーに設置された隔壁の支持枠２の、上側に屈曲した部分の接合部２ａに本発明を適用した場合で説明したが、本発明は、その他の接合部においても適用可能である。また、図１，図４に示したような断面構造の支持枠２に限らず、中空部を有するものであれば、その他の断面形状の支持枠を有する隔壁にも適用可能である。また、アルミ製以外の金造製支持枠にも適用可能である。さらに、集合住宅のベランダに設置された隔壁においても同様に適用可能である。
【符号の説明】
【００２７】
１  ボード
２  支持枠
３  ボード押え板
４，６  止めネジ
５，９  連結板
７  充填樹脂
８  堰止め樹脂
１０  住宅外壁
１１  バルコニー外壁
１２  バルコニー床
１３  隔壁取付金具
【図１】
2019090205.tif 000003
【図２】
2019090205.tif 000004
【図３】
2019090205.tif 000005
【図４】
2019090205.tif 000006
【図５】
2019090205.tif 000007
【図６】
2019090205.tif 000008